(57)【特許請求の範囲】
【請求項１】
相隣る板状体と接合すべき端面（２）を具備した板状体であって、該板状体の少なくとも一辺の下位に外突部（３）が該辺の全長又はその一端部を含む一部に沿って設けられるとともに、外突部（３）の上面付根部に凹溝状の導水部（４）が外突部（３）に沿って設けられ、前記端面（２）にあって、少なくともその上縁に沿う部分及び前記外突部（３）側の端部寄りの下縁と該下縁から外突部（３）の外縁に沿う部分を夫々当接面（６）に形成すべく、残余が該当接面（６）より凹陥せる凹陥面（２ａ）に形成され、前記導水部（４）の端部（４ａ）が該凹陥面（２ａ）と繋がってなることを特徴とする歩道板。
【発明の詳細な説明】
【０００１】
【発明の属する技術分野】
本発明は、歩道板に関し、より詳しくは、その上面又は外周辺の雨水等を効率よく排出可能とした歩道板に関する。
【０００２】
【従来の技術】
従来、床面又は歩行面を地表部に形成する際には、コンクリート平板やタイル等の板状体によって必要部分の地表面を被覆し、且つ板状体相互間に目地モルタル等の接合材を別途充填せしめてその一体性を確保しようとしている。
【０００３】
【発明が解決しようとする課題】
しかしながら、上記板状体はそれ自体で雨水等の表面水が排除されるような機能を備えておらず、従って、その上面には雨水等の表面水が滞留したりし、該上面又はその外周辺の水気でスリップ事故が起こるといった問題点があった。
本発明は、上記の如き従来の問題点に鑑みてなされたもので、その上面又は外周辺における雨水等の表面水が効率よく排除される歩道板を提供することを課題とする。
【０００４】
【課題を解決するための手段】
上記課題を解決するため、本発明に係る歩道板は、請求項１記載の如く、相隣る板状体と接合すべき端面２を具備した板状体であって、該板状体の少なくとも一辺の下位に外突部３が該辺の全長又はその一端部を含む一部に沿って設けられるとともに、外突部３の上面付根部に凹溝状の導水部４が外突部３に沿って設けられ、前記端面２にあって、少なくともその上縁に沿う部分及び前記外突部３側の端部寄りの下縁と該下縁から外突部３の外縁に沿う部分を夫々当接面６に形成すべく、残余が該当接面６より凹陥せる凹陥面２ａに形成され、前記導水部４の端部４ａが該凹陥面２ａと繋がってなることを特徴とする。
上記構成からなる歩道板１にあっては、相隣る端面２相互の当接面６同士が当接されて上面１３が連続せる歩行面を形成しても、該歩道板１の上面１３上にある表面水等が板状体をなす歩道板１の外突部３に設けられた導水部４に流れ込むとともに、集積されて導水部４の端部４ａと繋がる凹陥面２ａ、即ち、端面２相互間に内蔵されて形成される空隙部５を経て一の歩道板１毎に下方等へ排出される。
又、相隣る端面２相互の当接面６同士が当接されて歩道板１が連設される際、外突部３の上面を地表面Ｇと略合致せしめれば、上記の如く上面１３同士が連続することで形成される歩行面が地表面Ｇより高く隆起してなるために、上面１３上に土砂等が侵入して蓄積することがなく、又、地表面Ｇ上にある表面水等も上記と同様に導水部４に流入して集積され、端面２相互間に内蔵形成される空隙部５を経て排出される。
【０００５】
【発明の実施の形態】
以下、本発明の実施の形態を、図面を参酌しつつ説明する。
図１（イ）乃至（ホ）は、本発明の一実施の形態に係る歩道板１を示し、以下、図中のＸ−Ｘ方向を歩道板１の長さ方向、又、Ｙ−Ｙ方向を歩道板１の幅方向と称する。
当該歩道板１は、平面視長方形をなす板状体の長さ方向にわたる両辺の下位に外突部３を設けて相隣る他の歩道板１と接合すべき端面２を略凸形（側面視）となし、両外突部３，３の上面付根部に凹溝状の導水部４を長さ方向にわたり夫々設けるとともに、略凸形を構成する上面１３が幅方向で外突部３側へ向け斜降する傾斜面に形成されてなる。
又、前記側面視略凸形をなす両端面２，２にあって、その上縁と該上縁両端から少許垂下する両側縁に沿うことで略逆凹型を呈する部分、並びに下位両側において端部寄りの下縁と該下縁から外突部３の外縁に沿うことで略Ｌ型又は略逆Ｌ型を呈する部分を夫々当接面６に形成すべく、残余が該当接面６より凹陥せる凹陥面２ａに形成されてなる。
ここで、前記導水部４の両端部４ａは、該導水部４の底面４ｂを段状に更に凹陥させた凹段部４ｃを介して凹陥面２ａと夫々連設するとともに、端面２の上位において、略逆凹型をなす当接面６に囲繞される部分の略半分を凹陥面２ａから突設して当接面６より長さ方向に外突する凸部８に形成し、残る略半分部分を凹陥面２ａと同面の凹部１４となす。而して、かかる凸部８と凹部１４は、平面視における歩道板１の略中心に対し左右の端面２，２に点対称位置で設けられ、且つその突設又は凹設度合いは、当接面６を基準として略同一に形成されてなる。
又、上記歩道板１の裏面側には空所１０が設けられ、その底部３ａが底面視額縁状を呈するとともに、長さ方向における底部３ａには、外側の凹設度合いを空所１０側のそれよりも大きくなした通水孔７が２個設けられてなる。
【０００６】
次に、前記歩道板１の設置例をその接合方法と共に、図２（イ）乃至（ホ）に基づいて説明すると、前記歩道板１の端面２を相隣る他の歩道板１の端面２に接合させて連設すると、相互の各当接面６が相接し該各当接面６より凹設せる凹陥面２ａの相互間に空隙部５が形成されるとともに、凹部１４と凸部８が相接する端面２，２の回転対称位置で夫々凹凸嵌合する。
而して、かかる歩道板１は地表部に連設し、その地表面Ｇを外突部３の上面と略合致せしめるものであって、上記の如く端面２，２相互の各当接面６同士が当接し、又、上面１３同士が連続することで形成された歩行面は地表面Ｇより高く隆起してなるために、該上面１３上に土砂が侵入し、或いは、落ち葉等が飛来して蓄積することがない。
又、その上面１３上及び地表面Ｇ上にある表面水Ｗは、導水部４に流入して集積され、その底面４ｂに沿って流下するとともに、端部４ａにある凹段部４ｃから端面２，２相互間に内蔵形成される空隙部５を経て一の歩道板１毎にその下方の地盤に排出、還元されるか、或いは、空隙部５を通過して幅方向の他側へ排出される。
又、外突部３の側面に地中の水Ｗ′が存在する際には、底部３ａに設けた通水孔７によって該地中の水Ｗ′を歩道板１の下面に集積して下方の地盤に排出、還元させ、或いは、対向せる通水孔７を通過せしめて幅方向の他側へ排出する。
更に、端面２，２の回転対称位置で出入り状に凹凸嵌合する凸部８と凹部１４即ち、凸部８の上縁８ａと凹部１４の上縁１４ａとの競り合いにより、何れか一の歩道板１が沈下しようとする際には、回転対称位置にある一方の凸部８の上縁８ａが凹部１４の上縁１４ａを支承し、又、何れか一の歩道板１が浮上しようとする際には一方の凹部１４の上縁１４ａが凸部８の上縁８ａを押さえ込む。
従って、かかる歩道板１が多数個連設されることにより形成される帯状の歩行面上やその外周辺に降雨や撒水等があっても、その表面水Ｗは導水部４や空隙部５によって歩道板１の上面１３上、並びに地表面Ｇ上に滞留することなく排水されるため、上面１３又はその外周辺での歩行条件が良好となってスリップ等を起こすことなく安全な使用が行える。しかも、連続せる歩行面によって地表面Ｇが区画されても、地表水Ｗは空隙部５間を、又、地中の水Ｗ′はその底部３ａの通水孔７間を行き来することも可能で区画された土壌が泥化しないため、畑、果樹園等植樹地帯への使用に好適となる。
更に、連続せる歩道板１相互は、夫々凹凸嵌合されてなるため、連結に際する通り、高さ調整等の位置決めが接合材を用いずして容易、且つ迅速に行えるとともに、連結後は堅固な凹凸嵌合によって不等沈下等に起因する歩道板１相互の不陸発生を未然に防止することができる。
尚、上記実施の形態においては、外突部３上にある導水部４の底面４ｂを水平面に形成しているが、他の実施の形態として、かかる底面４ｂをその長さ方向で傾斜させることも可能で、かのような傾斜を付すことにより、歩道板１上での排水効率を更に向上せしめることができる。又、傾斜面となした上面１３を水平面に形成してもよいもので、該上面１３及び底面４ｂの傾斜の有無並びに傾斜方向等は任意に設定可能である（図示せず）。
【０００７】
上記歩道板１の他の実施の形態として、歩道板１の下方には図２（ハ）乃至（ホ）において一点鎖線で示すように、排水施設１１を設けることができる。
即ち、地中に埋設される排水施設としてのＵ形こう１１′の両上端面１１ａ′によって歩道板１の長さ方向にわたる両底部３ａを支持してなるものであり、該歩道板１は地表面にあって帯状をなす上面１３が歩行面を形成すると同時に、Ｕ形こう１１′の上蓋として兼用的に使用することができて有益性を有するとともに、前述の如く、導水部４により集積されて空隙部５を経る表面水Ｗ、並びに通水孔７から侵入する地中の水Ｗ′をその下方に位置するＵ形こう１１′内へ落下せしめて該Ｕ形こう１１′の流末へ排水処理することができるため、歩道板１を含めてその地表部における排水が完璧に行える。
尚、上記実施形態においては排水施設１１としてＵ形こう１１′を用いたが、歩道板１が上蓋的に使用可能なものであれば良いもので、該排水施設１１の具体的な形状は問わない。
【０００８】
上記歩道板１の他の実施の形態として、図３（イ）及び（ロ）に示す如く、歩道板１の下方における排水施設１１としてのＵ形こう１１′を、排水処理するべき流量に応じてその流水断面が大小異なるものに変更可能で、いずれの歩道板１も、各Ｕ形こう１１′の両上端面１１ａ′上に載置されて上蓋としての機能を発揮してなり、当該排水施設１１を具備する歩道板１を畑、花壇、果樹園等に成形される畝等の盛土ｇ間に適用すると、該歩道板１は地表面Ｇから突出して帯状をなす上面１３が歩行面を形成すると同時に、前述の如く、導水部４により集積されて空隙部５を経る表面水Ｗ、並びに通水孔７を通水する地中の水Ｗ′を、その下方に位置するＵ形こう１１′内へ落下せしめて排水処理することができるために、盛土ｇ全体の水はけが良好となって樹木等の生育に好適な土壌を創出することができる。
更に、盛土ｇから落下せる土砂等が歩道板１の外突部３及び導水部４上に堆積しても、該外突部３の上面を深さ方向、又、上面１３に繋がる側壁面１９を幅方向の当たり（目印）として、堆積土砂等を鍬等により掻き取って盛土ｇ上に戻すことで、歩道板１の両側における地表面Ｇを外突部３の上面と略同一高さで、且つ掻き取り作業に用いる鍬等の幅と略同一の幅Ｂに均一に維持することができるとともに、該地表面Ｇに生育する雑草等も容易に除去できる。
【０００９】
図４及び図５は、本発明の他の実施の形態に係る歩道板１を示し、当該歩道板１は前記図１に示した歩道板１における一方の外突部３が欠設されてなるものである。
更に詳しくは、図４（イ）乃至（ヘ）に示す歩道板１は、前記図１に示した歩道板１をその幅方向略中央で長さ方向に半截して得られるものであり、その結果導水部４及び通水孔７を有する外突部３が板状体の長さ方向一側に形成され、他側に空所１０が表出してその端面２′が略逆凹型を呈してなる。
又、両端面２，２の上縁と該上縁の外突部３側の端部から少許垂下する側縁に沿うことで略ヘ字型又は略逆ヘ字型を呈する部分を当接面６に形成し、該当接面６に囲繞される一方の端面２の凹陥面２ａから凸部８を突設するとともに、他方の端面２において前記当接面６に囲繞される部分を凹陥面２ａと同面の凹部１４となし、且つ上面１３を骨材露出面に形成してなる。
図５（イ）乃至（ニ）に示す歩道板１は、前記図１に示した歩道板１における一方の外突部３をその付根部で切除することで得られるものであり、その結果導水部４及び通水孔７を有する外突部３が板状体の長さ方向一側に形成され、他側が上面１３と略垂直に連設せる直壁状の端面２′に形成されてなる。
又、両端面２，２の下位にあって前記端面２′側に位置する当接面６が矩形を呈し、且つ上面１３及びこれと連なる端面２′を骨材露出面に形成してなる。
【００１０】
上記実施の形態に係る各歩道板１は、図４（ト）及び図５（ホ）に示す如く、各歩道板１の長さ方向における一方の使用が制約される場所への設置に適したものであり、例えて他の構造物と連設せしめる際には、図４（ト）に示すように、長さ方向に半截することで形成された端面２′を他の構造物面と当接させて設置するもので、当該設置例にあっては、歩道板１の下方に排水施設１１としてのＵ形こう１１′が設けられ、導水部４や通水孔７によって集積された表面水Ｗ及び地中の水Ｗ′を排水処理してなる。
又、段差を有する地表面Ｇの末端等で擁壁等の天端に列設する際は、図５（ホ）に示すとおり、一方の外突部３が切断されることで形成される端面２′を擁壁等の前面と略合致又は前面より稍突出（図中、破線で示す）させて設置するもので、当該設置例にあっては骨材露出面からなる端面２′が擁壁等の天端の化粧材となって風趣に富んだ景観を醸し出すとともに、導水部４や通水孔７によって集積された表面水Ｗ及び地中の水Ｗ′が擁壁等の裏込部から水抜孔を経てその前面に排出される。
即ち、かかる各歩道板１は、地表面Ｇの外郭等に連続せる歩行面を形成して、その外周辺の排水性を向上せしめるのである。
【００１１】
図６（イ）及び（ロ）は、本発明を構成する導水部４の変形例を示し、歩道板１に外突部３を有し、その導水部４を外突部３の上面付根部において断面略半円をなす凹溝状、又は、外突部３の上面全体がその付根部へ向け下り勾配をなす斜面状に形成されてもよい。尚、本発明を構成する導水部４の形状は、上記に示すものに限定されるものではなく、その外突部３上にあって表面水等を集積可能な断面形状となすものであればその具体的な態様は問わない。
【００１２】
図７及び図８は、夫々本発明の他の実施の形態に係る歩道板２１を示し、当該歩道板２１は、前記図４及び図５に示す如き歩道板１、即ち、その長さ方向における一方の使用が制約される歩道板１と組み合わせて鉤の手状に連なる歩行面を形成するため、その隅部に使用するものである。
先ず、図７（イ）及び（ロ）は、一方の使用が制約される側（以下、制約側という）の形態が入り隅状をなす場合を示す。
【００１３】
前記図７（イ）にあって、その隅部に表される歩道板２１は、長方形をなす板状体からなりその導水部を有しない長さ方向の一側及び該一側と直交して幅方向にわたる一端とを、直角状をなす制約側に位置させるための端面２２′，２２′となすとともに、他の導水部２４を有する一側の一部には、当該歩道板２１と直交し、且つ導水部４を有しない側の端面２′が制約側に位置した他の歩道板１の端面２と接合する端面２２が形成されるとともに、前記制約側に位置して幅方向にわたる端面２２′との対向部には、当該歩道板２１と直列し、且つ導水部４を有しない側の端面２′が制約側に位置した他の歩道板１の端面２と接合する端面２２が形成されてなり、ここで、各歩道板１，２１の一側に設けられた外突部３，２３並びに導水部４，２４が相互に連設されてなるものである。
尚、歩道板１の列設状況に応じ、上記歩道板２１と左右対称形状をなす図７（ロ）に示す如き、他の隅用の歩道板２１を形成することも可能である。
【００１４】
又、図８（イ）乃至（ハ）は、制約側の形態が出隅状をなす場合を示すもので、同図（イ）にあってその隅部に表される歩道板２１は、導水部４を有しない側の端面２′，２′が直角状をなす制約側に位置して、その端部相互が点接触する如き状態で設置される２枚の歩道板１，１の離隔せる端面２，２間を充足するべく、該端面２，２と接合する端面２２，２２をその直交せる二辺に設け、又、残余の二辺には前記歩道板１，１の外突部３及び導水部４と連なる外突部２３及び導水部２４が夫々設けられた正方形の板状体からなるものである。
ここで、上記の如く正方形を基調として形成された隅用の歩道板２１には方向性がないから、上下、左右何れの隅部にも使用可能となる。
【００１５】
更に、図８（ロ）にあってその隅部に表される歩道板２１は、長方形をなす板状体からなりその導水部を有しない長さ方向の一側の一部を、直角状をなす制約側に位置させるための端面２２′に、又、該一側に残存せる部分を、当該歩道板２１と直交し、且つ導水部４を有しない側の端面２′が制約側に位置した他の歩道板１の端面２と接合する端面２２に形成するとともに、前記端面２２′と直交して幅方向にわたる一端を、当該歩道板２１と直列し、且つ導水部４を有しない側の端面２′が制約側に位置した他の歩道板１の端面２と接合する端面２２に形成してなり、更に、その外郭にあって直交せる二辺には前記歩道板１，１のそれと連なる外突部２３及び導水部２４が夫々設けられてなるものである。
尚、歩道板１の列設状況に応じ、上記歩道板２１と左右対称形状をなす図８（ハ）に示す如き、他の隅用の歩道板２１を形成することも可能である。
【００１６】
上述の如く、隅用の歩道板２１と歩道板１を組合せることにより、その上面３３及び１３が連なることで構成される歩行面を鉤の手状に自由に屈折せしめることが可能となり、例えて他の構造物際、擁壁の天端等、地表面の外郭をなす箇所への使用が多様化すると同時に、上面１３及び３３に沿って設けた導水部４及び２４が、その上面及び外周辺の排水性を高めて地表面の外郭部が湿けることを防止する。
尚、上記隅用の歩道板２１の設置例にあっては、他の歩道板１を含めて外突部３，２３をその片側に有してなり、更に、図４及び図５の歩道板１に示したように、各端面２，２２には、凹陥面２ａ、空隙部５、当接面６及び凸部８を具備させ、又、板体の裏面側には通水孔７や空所１０を設けて歩道板１，２１の一体性並びにその排水性を更に向上せしめることも、本発明の意図する範囲内で実施される。
【００１７】
図９は、本発明に係る歩道板１の他の設置例を示し、前出の図５に示す歩道板１を幅方向に２枚用いるとともに、その長さ方向における一方の端面２′相互を当接せしめて設置することにより、比較的幅の広い歩行面を簡便に形成することもできる。
【００１８】
更に、図１０（イ）乃至（ホ）に示すように、端面２の一方に凸部８を、又、他方の端面２に凹部１４を択一的に設け、該端面２，２の下位において略Ｌ型又は略逆Ｌ型を呈してなる当接面６，６の幅方向における長さを長く形成せしめるとともに、その裏面側に空所１０を設けずして、底部３ａに３条の通水孔７を設けてなる歩道板１′となすこともできる。
当該歩道板１′にあっては、その下位にある当接面６，６の幅方向の長さが長く、導水部４から凹陥面２ａを経る表面水Ｗ等が端面２の中央付近で下方に排出されるため、該排出水が外突部３の外側に流出しにくく、又、全体が中実に形成されてなるため、安全性に富むといった利点がある。
尚、本発明に係る歩道板１，１′，２１を構成する板状体の基本形状を始め、端面２，２２、凹陥面２ａ、外突部３，２３、導水部４，２４、空隙部５、当接面６、通水孔７、凸部８、空所１０、上面１３及び凹部１４等の具体的な態様等は前記各実施形態のものに限定されるものではなく、本発明の意図する範囲内で自由に設計変更可能である。
【００１９】
【発明の効果】
本発明に係る歩道板は、相隣る板状体と接合すべき端面を具備した板状体の少なくとも一辺の下位に外突部が該辺の全長又はその一端部を含む一部に沿って設けられるとともに、外突部の上面付根部に凹溝状の導水部が外突部に沿って設けられ、前記端面にあって、少なくともその上縁に沿う部分及び前記外突部側の端部寄りの下縁と該下縁から外突部の外縁に沿う部分を夫々当接面に形成すべく、残余が該当接面より凹陥せる凹陥面に形成され、前記導水部の端部が該凹陥面と繋がってなるために、相隣る端面相互の当接面同士が当接されて上面が連続せる歩行面を形成しても、該歩道板の上面にある雨水、撒水等の表面水が板状体をなす歩道板の外突部に設けられた導水部に流れ込むとともに、集積されて導水部の端部と繋がる凹陥面、即ち、端面相互間に内蔵されて形成される空隙部を経て一の歩道板毎に下方等へ排出されるので、上面において水溜まり状になるようなことがなく、排水性に富む。
又、相隣る端面相互の当接面同士が当接されて歩道板が連設される際、外突部の上面を地表面と略合致せしめれば、上記の如く上面同士が連続することで形成される歩行面が地表面より高く隆起してなるために、上面上に土砂等が侵入して蓄積することがなく、又、地表面上にある表面水等も上記と同様に導水部に流入して集積され、端面相互間に内蔵形成される空隙部を経て排出されるので、歩道板の外周辺が湿気ることはない。
【図面の簡単な説明】
【図１】  本発明の歩道板の一実施形態を示し、（イ）は正面図（一部、（ロ）のＡ−Ａ断面図）、（ロ）は平面図、（ハ）は側面図、（ニ）は（イ）のＢ−Ｂ断面図、（ホ）は（ロ）のＮ−Ｎ拡大断面図。
【図２】  図１の歩道板の接合方法及び設置例を示し、（イ）は一部平面図、（ロ）は（イ）のＣ−Ｃ拡大断面図、（ハ）は同Ｄ−Ｄ拡大断面図、（ニ）は同Ｅ−Ｅ拡大断面図、（ホ）は（ニ）のＭ部拡大図。
【図３】  図１の歩道板の他の設置例を示し、（イ）は一部省略横断面図、（ロ）は（イ）の要部半截拡大断面図。
【図４】  本発明の歩道板の他実施の形態を示し、（イ）は正面図、（ロ）は平面図、（ハ）は背面図、（ニ）は右側面図、（ホ）は左側面図、（ヘ）は（ハ）のＦ−Ｆ断面図、（ト）は設置例を示す拡大断面図。
【図５】  本発明の歩道板の他実施の形態を示し、（イ）は正面図（一部、（ロ）のＧ−Ｇ断面図）、（ロ）は平面図、（ハ）は左側面図、（ニ）は（イ）のＨ−Ｈ断面図、（ホ）は設置例を示す拡大断面図。
【図６】  本発明を構成する導水部の変形例を示し、（イ）及び（ロ）はそれぞれ一部断面図。
【図７】  本発明の歩道板の他実施の形態とその設置例を示し、（イ）及び（ロ）は夫々一部平面図。
【図８】  本発明の歩道板の他実施の形態とその設置例を示し、（イ）乃至（ハ）は夫々一部平面図。
【図９】  本発明の歩道板の他実施の形態を示し、設置時の横断面図。
【図１０】  本発明の歩道板の他実施の形態を示し、（イ）は正面図（一部、（ロ）のＪ−Ｊ断面図）、（ロ）は平面図、（ハ）は右側面図、（ニ）は左側面図、（ホ）は（イ）のＫ−Ｋ断面図。
【符号の説明】
１，１′，２１  歩道板
２，２′，２２，２２′  端面
２ａ  凹陥面
３，２３  外突部
３ａ  底部
４，２４  導水部
４ａ  端部
４ｂ  底面
４ｃ  凹段部
５  空隙部
６  当接面
７  通水孔
８  凸部
８ａ，１４ａ  上縁
１０  空所
１１  排水施設
１１′  Ｕ形こう
１３，３３  上面
１４  凹部
Ｇ  地表面
Ｗ  表面水
Ｗ′  地中の水
【図１】
0003671298.tif 000002
【図２】
0003671298.tif 000003
【図３】
0003671298.tif 000004
【図４】
0003671298.tif 000005
【図５】
0003671298.tif 000006
【図６】
0003671298.tif 000007
【図７】
0003671298.tif 000008
【図８】
0003671298.tif 000009
【図９】
0003671298.tif 000010
【図１０】
0003671298.tif 000011